(57)【要約】      （修正有）【課題】  ＢＤと互換性が高く、かつＤＶＤ機器あるいはＣＤ機器でも再生可能な再生専用型光記録媒体を提供すること。【解決手段】  第１の光透過層４と、第２の光透過層５と、青色光ビームで再生するための第１の情報担体面２と、赤色光ビームで再生するための第２の情報担体面３とを備え、第１の光透過層４の厚さを０．０８ｍｍ〜０．１２ｍｍ、第２の光透過層５の厚さを０．４３ｍｍ〜０．５７ｍｍ、赤色光に対する第１の情報担体面２と第２の情報担体面３の反射率をそれぞれＲ１Ｒ、Ｒ２Ｒとしたとき、第１の情報担体面２の反射率Ｒ１ＲをＲ１Ｒ≦１−（０．５／Ｒ２Ｒ）１／２とし、かつ青色光に対する第１の情報担体面２の反射率を３％以上とすることにより、ＤＶＤ機器で安定した再生が可能となり、かつＢＤとの互換性も高くなる。【選択図】  図１ａ
2006190415.tif 000002
【特許請求の範囲】
【請求項１】
第１の光透過層と第２の光透過層との間に形成された青色光ビームで再生するための第１の情報担体面と、該第２の光透過層と基板との間に形成された赤色光ビームで再生するための第２の情報担体面とを備え、該第１の光透過層側より青色および赤色の光ビームを照射して情報を読み取る光記録媒体であって、
該第１の光透過層の厚みを０．０８ｍｍ〜０．１２ｍｍ、該第２の光透過層の厚みを０．４３ｍｍ〜０．５７ｍｍ、赤色光に対する該第１の情報担体面の反射率Ｒ１Ｒと該第２の情報担体面の反射率Ｒ２Ｒとの関係をＲ１Ｒ≦１−（０．５／Ｒ２Ｒ）１／２とし、かつ青色光に対する該第１の情報担体面の反射率を３％以上とした光記録媒体。
【請求項２】
赤色光に対する第１の情報担体面の反射率Ｒ１Ｒを１２％以下とした請求の範囲１に記載の光記録媒体。
【請求項３】
第１の光透過層と第２の光透過層との間に形成された青色光ビームで再生するための第１の情報担体面と、該第１の情報担体面と反対側の該第２の光透過層面上に形成された赤外光ビームで再生するための第２の情報担体面とを備え、該第１の光透過層側より青色および赤外の光ビームを照射して情報を読み取る光記録媒体であって、
該第１の光透過層の厚みを０．０８ｍｍ〜０．１２ｍｍ、該第２の光透過層の厚みを０．９８ｍｍから０．１１２ｍｍとし、赤外光ビームに対する該第１の情報担体面の反射率を８％以下、青色光ビームに対する該第１の情報担体面の反射率を３％以上とした光記録媒体。
【発明の詳細な説明】
【技術分野】
【０００１】
本発明は、収束された光ビームを光記録媒体（光ディスク）上に照射し、その反射光を検知して情報を再生する光記録媒体に関するものであり、特に、２つ以上の波長の光ビームを用いて再生することのできる光記録媒体に関するものである。
【背景技術】
【０００２】
光記録媒体は大容量のデータを蓄積できることから、音声データ、映像データ、あるいは様々な情報データを蓄積するメディアとして重要な地位を占めつつある。光記録媒体としては、音楽を蓄積することを主たる目的として開発されたＣＤ（Ｃｏｍｐａｃｔ  Ｄｉｓｃ）、映像を蓄積することを主たる目的として開発されたＤＶＤ（Ｄｉｇｉｔａｌ  Ｖｅｒｓａｔｉｌｅ  Ｄｉｓｃ）などが知られている。これらの光記録媒体には再生専用型、１回記録可能な追記型および繰り返し記録型の３種類がある。
【０００３】
再生専用型ＣＤは、厚さ約１．２ｍｍの円盤状の樹脂基板表面に凹凸ピットよりなる情報トラックをスパイラル状に形成し、この基板の情報担体面上にスパッタリング等の手法でアルミニウム等の反射膜及び保護膜を設け、その上にディスクを識別するためのラベルを印刷したものである。
【０００４】
再生専用型ＤＶＤには、１つの情報担体面を有する単層ディスクと、一方の面から光ビームを照射させて２つの情報担体面の情報を読み取るように構成された２層ディスクの２種類がある。単層の再生専用型ＤＶＤは、厚さ約０．６ｍｍの円盤状の樹脂基板表面に凹凸ピットよりなる情報トラックをスパイラル状に形成し、この基板の情報面上にスパッタリング等の手法でアルミニウム等の反射膜を設け、この基板の情報担体面側と約０．６ｍｍの基板とを貼り合わせ、厚さ約１．２ｍｍの光ディスクとしたものである。２層の再生専用型ＤＶＤは、厚さ約０．６ｍｍの円盤状の樹脂基板表面に光を透過する半透明の第１の情報担体面を形成した第１の基板と、厚さ約０．６ｍｍの円盤状の樹脂基板表面に光を反射する第２の情報担体面を形成した第２の基板とを、２つの情報担体面が所定の間隔で対向するように貼り合わせたものである（例えば、特許文献１参照）。
【０００５】
これらの光記録媒体は、ＣＤプレーヤ、ＤＶＤプレーヤあるいはＤＶＤレコーダなどの民生機器用として普及し始め、安価になるにつれてＰＣ（Ｐｅｒｓｏｎａｌ  Ｃｏｍｐｕｔｅｒ）用のペリフェラル機器など、様々なアプリケーション機器へと展開されてきた。
【０００６】
１９９６年に初めてＤＶＤプレーヤが発売されたが、その当時に普及していたＣＤ再生は必須とされ、これを実現するために、１つの光ピックアップでＤＶＤとＣＤの双方を再生可能とする技術が開発された（例えば、特許文献２参照）。ＤＶＤプレーヤの普及とともに、ＤＶＤとＣＤの双方を再生可能とするＰＣ用ＤＶＤ−ＲＯＭドライブも普及し始めた。近年は民生用のＤＶＤレコーダ、ＰＣ用の記録型ＤＶＤドライブが普及しつつある。ＰＣ用の記録型ＤＶＤドライブはＤＶＤおよびＣＤの再生が可能で、ＤＶＤ−Ｒ（ＤＶＤ  Ｒｅｃｏｒｄａｂｌｅ）、ＤＶＤ−ＲＡＭ（ＤＶＤ  Ｒａｎｄｏｍ  Ａｃｃｅｓｓ  Ｍｅｍｏｒｙ）などの記録型ＤＶＤへの記録は勿論のこと、ＣＤ−Ｒ（ＣＤ  Ｒｅｃｏｒｄａｂｌｅ）、ＣＤ−ＲＥ（ＣＤ  Ｒｅｗｒｉｔａｂｌｅ）などの記録型ＣＤへの記録も可能となっている。現在、これらの光記録媒体用機器の世界市場規模は年間で数億台を越え、光記録媒体の世界市場規模は年間で１００億枚を越えている。
【０００７】
近年、ＨＤ（Ｈｉｇｈ  Ｄｅｆｉｎｉｔｉｏｎ）映像を蓄積することを主たる目的とした新しい光記録媒体ＢＤ（Ｂｌｕ−ｒａｙ  Ｄｉｓｃ）の規格化が進められており（例えば、非特許文献１、２、３参照）、書換可能な光ディスクＢＤ−ＲＥ（ＢＤ  Ｒｅｗｒｉｔａｂｌｅ）とそれに対応したＢＤレコーダが商品化された（例えば、非特許文献４、５参照）。また、追記型のＢＤ−Ｒ（ＢＤ  Ｒｅｃｏｒｄａｂｌｅ）、再生専用のＢＤ−ＲＯＭ（ＢＤ  Ｒｅａｄ  Ｏｎｌｙ  Ｍｅｍｏｒｙ）に関する技術も発表されている（例えば、非特許文献６、７参照）。ＢＤは４０５ｎｍの青色レーザ、開口数０．８５の対物レンズを用いることにより、記録密度をＤＶＤの約５倍に高め、光記録媒体の傾きに対する裕度を確保するために光透過層の厚みを０．１ｍｍ程度と薄くし、１つの情報担体面を有するもので２５ＧＢ、２つの情報担体面を有するもので５０ＧＢという大容量化を実現している。日本で地上波デジタル放送が開始されたが、このようなテレビ放送のデジタル化、高精細度化の波は世界中に広がりつつあり、これに伴って、ＢＤも普及していくものと予想されている。
【特許文献１】特開平９−２１２９１７号公報
【特許文献２】特許第２５３２８１８号
【非特許文献１】次世代光ディスク解体新書（日経ＢＰ社），ｐｐ．２１−８６，２００３
【非特許文献２】田中伸一：Ｂｌｕ−ｒａｙ  Ｄｉｓｃ総論，Ｍａｔｓｕｓｈｉｔａ  Ｔｅｃｈｎｉｃａｌ  Ｊｏｕｒｎａｌ，Ｖｏｌ．５０  Ｎｏ．５，ｐｐ２５−２９，Ｏｃｔ．２００４
【非特許文献３】石田隆：Ｂｌｕ−ｒａｙ  Ｄｉｓｃ  Ｒｅｗｒｉｔａｂｌｅ  Ｆｏｒｍａｔ（１），Ｍａｔｓｕｓｈｉｔａ  Ｔｅｃｈｎｉｃａｌ  Ｊｏｕｒｎａｌ，Ｖｏｌ．５０  Ｎｏ．５，ｐｐ３０−３３，Ｏｃｔ．２００４
【非特許文献４】児島理恵他：書換型２層ＢＤディスクの開発，Ｍａｔｓｕｓｈｉｔａ  Ｔｅｃｈｎｉｃａｌ  Ｊｏｕｒｎａｌ，Ｖｏｌ．５０  Ｎｏ．５，ｐｐ５５−５８，Ｏｃｔ．２００４
【非特許文献５】守屋充郎他：Ｂｌｕ−ｒａｙ  Ｄｉｓｃ  ドライブの開発，Ｍａｔｓｕｓｈｉｔａ  Ｔｅｃｈｎｉｃａｌ  Ｊｏｕｒｎａｌ，Ｖｏｌ．５０  Ｎｏ．５，ｐｐ４５−４９，Ｏｃｔ．２００４
【非特許文献６】北浦秀樹他：ＴＥ−Ｏ−Ｐｄ記録膜を用いた２層ＢＤ−Ｒディスクの開発，Ｍａｔｓｕｓｈｉｔａ  Ｔｅｃｈｎｉｃａｌ  Ｊｏｕｒｎａｌ，Ｖｏｌ．５０  Ｎｏ．５，ｐｐ５９−６３，Ｏｃｔ．２００４
【非特許文献７】阿部伸也他：電子ビームマスタリングによる２層ＢＤ−ＲＯＭディスクの開発，Ｍａｔｓｕｓｈｉｔａ  Ｔｅｃｈｎｉｃａｌ  Ｊｏｕｒｎａｌ，Ｖｏｌ．５０  Ｎｏ．５，ｐｐ６４−６８，Ｏｃｔ．２００４
【発明の開示】
【発明が解決しようとする課題】
【０００８】
ＨＤ放送に対応してＨＤ−ＴＶも徐々に普及し、これに伴って高精細度な映像で表現された映画などのコンテンツを蓄積した新しいパッケージメディアに対する要望も高まってくることが予想される。このような新しい光記録媒体を再生できる機器が普及するには、ＣＤ、ＤＶＤがそうであったように、１０年程度、少なくとも数年はかかる。したがって、ＨＤ−ＴＶと新しい光ディスクに対応した機器を接続して高画質な映像を楽しんでいる家庭において、別の部屋にＳＤ−ＴＶ（Ｓｔａｎｄａｒｄ  Ｄｅｆｉｎｉｔｉｏｎ  ＴＶ）とＤＶＤプレーヤあるいはＤＶＤレコーダがセットで備え付けられているというケースが発生する。また、車に搭載されている機器はＣＤプレーヤあるいはＤＶＤプレーヤである。このような状況下では、新しい光ディスクに蓄積されたコンテンツを他の機器でも見たり聞いたりしたいという要望が出て来る。
【０００９】
しかしながら、ＢＤのように薄型光透過層の光記録媒体をＣＤ機器あるいはＤＶＤ機器に装填しても、光透過層の厚みが全く異なるため再生することはできないという課題を有している。
【００１０】
本発明は、前述した課題を解決するためになされたもので、ＢＤと互換性が高く、かつＤＶＤ機器あるいはＣＤ機器でも再生可能な再生専用型光記録媒体を提供することである。
【課題を解決するための手段】
【００１１】
前記従来の課題を解決するために、本発明の光記録媒体は、第１の光透過層と第２の光透過層との間に形成された青色光ビームで再生するための第１の情報担体面と、第２の光透過層と基板との間に形成された赤色光ビームで再生するための第２の情報担体面とを備え、第１の光透過層の厚みを０．０８ｍｍ〜０．１２ｍｍ、第２の光透過層の厚みを０．４３ｍｍ〜０．５７ｍｍ、赤色光に対する第１の情報担体面の反射率Ｒ１Ｒと第２の情報担体面の反射率Ｒ２Ｒとの関係をＲ１Ｒ≦１−（０．５／Ｒ２Ｒ）１／２とし、かつ青色光に対する第１の情報担体面の反射率を３％以上としたものである。
【発明の効果】
【００１２】
本発明によれば、ＢＤと互換性が高く、かつＤＶＤ機器あるいはＣＤ機器でも再生可能な再生専用型光記録媒体を得ることができる。
【発明を実施するための最良の形態】
【００１３】
以下、本発明の実施の形態について、図面を参照しながら説明する。なお、図面の説明において、同じ構成要素については同じ符号を用い、説明を省略する。
【００１４】
（実施の形態１）
図１は、本発明の実施の形態１におけるＢＤと互換性が高く、かつＤＶＤ機器で再生可能な再生専用型光記録媒体の概略断面図である。図１ａにおいて、光記録媒体１は青色光ビームで再生するための第１の情報担体面２と、赤色光ビームで再生するための第２の情報担体面３を備えている。４は第１の光等過層、５は第２の光透過層、６は基板である。第１の情報担体面２上の情報を読み取る場合、対物レンズ７で収束した青色光ビームを、第１の光透過層４を介して第１の情報担体面２上に収束させ、第１の情報担体面２で反射された反射光を検知して情報を読み取る。また、第２の情報担体面３上の情報を読み取る場合には、対物レンズ８で収束した赤色光ビームを、第１の光透過層４、第１の情報担体面２および第２の光透過層５を介して第２の情報担体面３上に収束させ、第２の情報担体面３で反射された反射光を検知して情報を読み取る。図１ｂは図１ａの部位９の拡大図であり、基板６の表面には凹凸ピット１１が形成され、その上に反射膜１２が形成されている。基板６と基板１４とは透明な接着材で接着されている。１３はその接着層である。第２の光透過層５は基板１４と接着層１３より構成されている。図１ｃは図１ａの部位１０の拡大図であり、基板１４の表面には凹凸ピット１５が形成され、その上に半透明の反射膜１６が形成されている。そして、半透明の反射膜１６上にスピンコートなどの手法により第１の光透過層４が形成されている。
【００１５】
基板６および基板１４の表面に形成されている凹凸ピットはＣＤ、ＤＶＤなどで用いられている射出成形という手法で形成することができる。また、反射膜１２は金（Ａｕ）、アルミニウム（Ａｌ）、Ａｇ等の材料、またはこれらを含んだ材料が好適である。半透明の反射膜１６としては、金（Ａｕ）、アルミニウム（Ａｌ）、Ａｇ、あるいはＳｉ等の材料、またはこれらの材料を含んだ材料が好適である。これらの材料は従来から知られているスパッタリング等の手法で形成することができる。また、接着層１３の材料として、例えば、紫外線を照射することにより硬化する紫外線硬化材料、熱を与えることにより硬化する熱硬化型接着剤、あるいは力を付与することにより硬化する加圧硬化型接着剤などを用いることができる。また、第１の光等過層４は、紫外線硬化材料を所定の厚さとなるようにスピンコートし、その後に紫外線を照射して硬化させることで作成することができる。また、熱硬化性の材料あるいは加圧硬化型の材料を用いて作成することもできる。
【００１６】
光記録媒体１がＤＶＤ機器で再生できるようにするためには、反射率および光透過層の厚さ等が重要である。先ず、各層の厚さについて以下に説明する。
【００１７】
第１の光透過層４の厚さｔ１は０．０８ｍｍ≦ｔ１≦０．１２ｍｍである。ＤＶＤ機器で再生できるようにするために、厚さｔ２は０．５５ｍｍ≦ｔ２≦０．６５ｍｍとしている。したがって、第２の光透過層５の厚さ、すなわち基板１４と接着層１３の合計の厚さは０４３ｍｍ以上、０．５７ｍｍ以下である。また、光記録媒体１の厚さｔ３は１．１ｍｍ≦ｔ３≦１．４ｍｍであり、したがって基板６の厚さは０．４５ｍｍ以上、０．８５ｍｍ以下である。
【００１８】
次に反射率について図２とともに説明する。２１は第２の情報担体面３上の情報を読み取るために光記録媒体１に入射された赤色光ビーム、２２は第２の情報担体面３上より反射された検出赤色光ビームである。図２に示すように、入射赤色光ビーム２１は第１の情報担体面２で一部の光ビームが反射された後に第２の情報担体面３で反射される。第２の情報担体面３で反射された反射光ビームは第１の情報担体面２で再び一部の光ビームが反射される。また、第１の情報担体面２を赤色光ビームが透過するときに、光吸収あるいは乱反射などで５％程度のロス、すなわち往復で１０％程度のロスが発生する。したがって、第１の情報担体面２の反射率をＲ１Ｒ、第２の情報担体面３の反射率をＲ２Ｒ、入射赤色光ビーム２１の光量をＰ１、検出赤色光ビーム２２の光量をＰ２とすると、
Ｐ２／Ｐ１＝０．９×（１−Ｒ１Ｒ）×（１−Ｒ１Ｒ）×Ｒ２Ｒ・・・・・・（１）
となる。ＤＶＤ機器で第２の情報担体面３上の情報を読み取るために、Ｐ２／Ｐ１≧０．４５となるようにする必要がある。そこで、第１の情報担体面２の反射率Ｒ１Ｒの上限を、
０．９×（１−Ｒ１Ｒ）×（１−Ｒ１Ｒ）≧０．４５／Ｒ２Ｒ
∴Ｒ１Ｒ≦１−（０．４５／Ｒ２Ｒ／０．９）１／２・・・・・・・・・・（２）
としている。
【００１９】
アルミニウムなどで反射膜１２を形成する場合、反射膜１２の厚さを厚くすればする程、反射率は高くなるが、第２の情報担体面３の反射率Ｒ２Ｒは０．９程度が限界である。この場合、Ｒ１Ｒ≦０．２５、すなわち第１の情報担体面２の反射率Ｒ１Ｒは２５％以下となる。また、コスト、信号品質などを考慮すると、反射率Ｒ２Ｒは０．６５≦Ｒ２Ｒ≦０．９とすることが望ましい。Ｒ２Ｒが０．６５この場合、Ｒ１Ｒは約０．１２となる。すなわち、第１の情報担体面２の反射率Ｒ１Ｒを１２％以下とすれば、赤色光ビームで再生する際に良好な再生信号が得られ、かつ光記録媒体１を安価にすることができる。
【００２０】
第１の情報担体面２の反射率Ｒ１Ｒを小さくすればする程、赤色光ビームでの読み取り性能は高まるが、青色光ビームで第１の情報担体面２上の情報を読み取る際の反射光が小さくなり、信号品質が低下するために情報の読み取りが困難となる。
【００２１】
ＢＤでは１−７ＰＰと呼ばれる変調方式を採用し、単層ディスクで２５ＧＢの容量となっている。１７ＰＰ変調方式は、２Ｔ（Ｔはチャンネルクロックの周期）から８Ｔまでの長さのピット（マーク）をもつＰＬＬ（１，７）変調コードで、最短の２Ｔピットの長さは約０．１４９μｍである。波長４０５ｎｍの青色光ビームを開口数０．８５の対物レンズで絞って第１の情報担体面２上に収束させたとき、最短ピットの振幅は最長ピット（８Ｔピット）のそれの１０％程度となる。したがって、第１の情報担体面２は最短ピットの信号品質を確保できる反射率を備えている必要がある。
【００２２】
図３ａは横軸を周波数、縦軸をノイズレベルとしてノイズの周波数分布を示した図である。３１は光を照射しないときの回路ノイズ分布である。３２は第１の情報担体面２上に記録されている単一の２Ｔ信号を０．３ｍＷの青色光ビームを照射して再生したときのノイズ分布を示し、３２ａはそのときの２Ｔ信号のレベルを示している。２Ｔ信号は振幅が小さいため、４０ｄＢ弱のＣ／Ｎ（Ｃａｒｒｉｅｒ  ｔｏ  Ｎｏｉｓｅ  Ｒａｔｉｏ）しか得られないことが判る。図３ｂは第１の情報担体面２上に記録されているランダム信号を０．３ｍＷの青色光ビームを照射して再生したときの、第１の情報担体面２の反射率とジッタの関係を示した図である。曲線３３は通常のリニアなイコライザーを介した後に再生信号を２値化したときのジッタ、曲線３４はリミットイコライザーを介した後に再生信号を２値化したときのジッタをそれぞれ示している。
【００２３】
一般的に通常のリニアなイコライザーを用いたときのジッタとして１５％程度が限界とされている。図３ｂでは反射率２％でもジッタは１５％以下であるが、機器で再生するときには様々な外乱による再生信号の劣化が発生するため、これを考慮して決める必要がある。すなわち、光記録媒体１には傾きや面ぶれ、偏心などがある。また、機器は振動や衝撃などの外乱を受ける。これらによる再生信号の劣化を考慮すると、通常の状態では１３％以下とすることが望ましい。また、図３ｂより明らかなように、反射率３％以下では急激にジッタが劣化する。これらを勘案し、第１の情報担体面２の反射率を３％以上としている。
【００２４】
かかる構成によれば、第１の光透過層の厚みを０．０８ｍｍ〜０．１２ｍｍ、第２の光透過層の厚みを０．４３ｍｍ〜０．５７ｍｍ、赤色光に対する第１の情報担体面と第２の情報担体面の反射率をそれぞれＲ１Ｒ、Ｒ２Ｒとしたとき、第１の情報担体面の反射率Ｒ１ＲをＲ１Ｒ≦１−（０．５／Ｒ２Ｒ）１／２とし、かつ青色光に対する第１の情報担体面２の反射率を３％以上とすることにより、ＤＶＤ機器で安定した再生が可能となり、かつＢＤとの互換性も高い再生専用型光記録媒体とすることができる。また、赤色光に対する第１の情報担体面の反射率Ｒ１Ｒを１２％以下、青色光に対する第１の情報担体面２の反射率を３％以上とすれば、赤色光ビームで再生する際に良好な再生信号が得られ、かつ光記録媒体を安価にすることができる。
【００２５】
図１を用いて本発明の実施の形態１を説明したが、本発明はこれに限定されない。例えば、本発明の光記録媒体１における第２の情報担体面３は図４に示すように構成することができる。図４は図１ａの部位９の拡大図であり、第２の光透過層５の表面に凹凸ピット１１が形成され、その上に反射膜１２が形成されている。そして、基板６と第２の光透過層５とは接着材で接着されている。４１はその接着層である。すなわち、第２の光透過層５は、一方の表面に第２の情報担体面３用の凹凸ピット１１が形成され、他方の表面に第１の情報担体面２用の凹凸ピット１５が形成されている。この場合、当然のことであるが、第２の光透過層５の厚さは０４３ｍｍ以上、０．５７ｍｍ以下であり、接着層４１と基板６の合計の厚さは、０．４５ｍｍ以上、０．８５ｍｍ以下である。接着層４１の材料として、接着層１３と同様に、紫外線硬化材料、熱硬化型接着剤、あるいは加圧硬化型接着剤などを用いることができる。
【００２６】
また、本発明の光記録媒体１における第１の情報担体面２は図５に示すように構成することができる。図５は図１ａの部位１０の拡大図であり、第２の光透過層５の表面に凹凸ピット１５が形成され、その上に半透明の反射膜１６を形成し、さらにその上に薄いシート５１を接着している。５２はシート５１と第２の光透過層５とを接着している接着層であり、この場合、第１の光透過層４はシート５１と接着層５２とより構成される。接着層５２の接着剤としては、接着層１３と同様に、紫外線硬化材料、熱硬化型接着剤あるいは加圧硬化型接着剤などを用いることができる。当然のことであるが、この場合、シート５１と接着層５２の合計の厚さは、０．０８ｍｍ以上、０．１２ｍｍ以下である。
【００２７】
また、図５の構成において、第２の光透過層５の表面に形成している凹凸ピット１５の代わりに、シート５１の表面に凹凸ピット１５を形成することができる。この場合、シート５１の表面に形成されている凹凸ピット１５上に半透明の反射膜１６を形成し、透明の基板と接着すれば良い。当然のことではあるが、この場合、シート５１が第１の光透過層４となり、第２の光透過層５は接着層と透明基板とより構成される。したがって、シート５１の厚さを０．０８ｍｍ〜０．１２ｍｍ、接着層と透明基板の合計の厚さを０．４３ｍｍ〜０．５７ｍｍとなるようにすれば良い。
【００２８】
（実施の形態２）
図６は、本発明の実施の形態２における赤色光ビームで再生するための２つの情報担体面を備え、ＢＤと互換性が高く、かつＤＶＤ機器で再生可能な再生専用型光記録媒体の概略断面図である。図６ａにおいて、光記録媒体６１は青色光ビームで再生するための第１の情報担体面２と、赤色光ビームで再生するための第２と第３の情報担体面３ａ、３ｂを備えている。第２の情報担体面３ａ上の情報を読み取る場合には、対物レンズ８で収束した赤色光ビームを、第１の光透過層４、第１の情報担体面２および第２の光透過層５を介して第２の情報担体面３ａ上に収束させ、第２の情報担体面３ａで反射された反射光を検知して情報を読み取る。同様に、第３の情報担体面３ｂ上の情報を読み取る場合には、対物レンズ８で収束した赤色光ビームを、第１の光透過層４、第１の情報担体面２、第２の光透過層５、第２の情報担体面３ａを介して第３の情報担体面３ｂ上に収束させ、第３の情報担体面３ｂで反射された反射光を検知して情報を読み取る。
【００２９】
図６ｂは図６ａの部位６３の拡大図である。第２の光透過層５の表面には凹凸ピット１１ａが形成され、その上に半透明の反射膜６４が形成されている。すなわち、第２の光透過層５の一方の表面には凹凸ピット１１ａが形成され、他方の面には青色光ビームで読み取るための凹凸ピット１５が設けられている。基板６の表面には凹凸ピット１１ｂが形成され、その上に反射膜６５が形成されている。第２の光透過層５と基板６はその間隔ｔ４が所定の間隔となるように透明な接着材で接着されている。６２はその接着層である。半透明の反射膜６４としては、金（Ａｕ）、アルミニウム（Ａｌ）、Ａｇ、あるいはＳｉ等の材料、またはこれらの材料を含んだ材料が好適である。また、反射膜６５としては金（Ａｕ）、アルミニウム（Ａｌ）、Ａｇ等の材料、またはこれらを含んだ材料が好適である。接着層６２の材料として、例えば、紫外線を照射することにより硬化する紫外線硬化材料、熱を与えることにより硬化する熱硬化型接着剤、あるいは力を付与することにより硬化する加圧硬化型接着剤などを用いることができる。
【００３０】
光記録媒体６１がＤＶＤ機器で再生できるようにするためには、反射率および光透過層の厚さ等が重要である。先ず、各層の厚さについて以下に説明する。
【００３１】
ＤＶＤ機器で再生できるようにするために、厚さｔ２ａは０．５５ｍｍ≦ｔ２ａ≦０．６１ｍｍ、厚さｔ２ｂは０．５９ｍｍ≦ｔ２ｂ≦０．６５ｍｍ、第２と第３の情報担体面３ａ、３ｂの間隔ｔ４は０．０５５ｍｍ±０．０１５ｍｍとしている。第１の光透過層４の厚さｔ１は０．０８ｍｍ≦ｔ１≦０．１２ｍｍであるから、第２の光透過層５の厚さは０４３ｍｍ以上、０．５３ｍｍ以下である。また、光記録媒体１の厚さｔ３は１．１ｍｍ≦ｔ３≦１．４ｍｍであり、したがって基板６の厚さは、０．４５ｍｍ以上、０．８１ｍｍ以下である。
【００３２】
次に反射率について図７とともに説明する。２１ａは第２の情報担体面３ａ上の情報を読み取るために光記録媒体６１に入射された赤色光ビーム、２２ａは第２の情報担体面３ａ上より反射された検出赤色光ビームである。２１ｂは第３の情報担体面３ｂ上の情報を読み取るために光記録媒体６１に入射された赤色光ビーム、２２ｂは第３の情報担体面３ｂ上より反射された検出赤色光ビームである。第２の情報担体面３ａ上の情報を読み取る場合、入射赤色光ビーム２１ａは第１の情報担体面２で一部の光ビームが反射された後に第２の情報担体面３ａで反射され、第２の情報担体面３ａで反射された反射光ビームは第１の情報担体面２で再び一部の光ビームが反射される。また、第１の情報担体面２を赤色光ビームが透過するときに、光吸収あるいは乱反射などで５％程度のロス、すなわち往復で１０％程度のロスが発生する。したがって、第１の情報担体面２の反射率をＲ１Ｒ、第２の情報担体面３ａの反射率をＲ２Ｒａ、入射赤色光ビーム２１ａの光量をＰ１ａ、検出赤色光ビーム２２ａの光量をＰ２ａとすると、
Ｐ２ａ／Ｐ１ａ＝０．９×（１−Ｒ１Ｒ）×（１−Ｒ１Ｒ）×Ｒ２Ｒａ＝ｋ×Ｒ２Ｒａ・・・（３）
となる。ここでｋ＝０．９×（１−Ｒ１Ｒ）×（１−Ｒ１Ｒ）である。
【００３３】
また、第３の情報担体面３ｂ上の情報を読み取る場合、入射赤色光ビーム２１ｂは第１の情報担体面２および第２の情報担体面３ａで一部の光ビームが反射された後に第３の情報担体面３ｂで反射される。そして、第３の情報担体面３ｂで反射された反射光ビームは第２の情報担体面３ａおよび第１の情報担体面２で再び一部の光ビームが反射される。また、第１の情報担体面２あるいは第２の情報担体面３ａを赤色光ビームが透過するとき、光吸収あるいは乱反射などでそれぞれ往復で１０％程度のロスが発生する。したがって、第３の情報担体面３ｂの反射率をＲ２Ｒｂ、入射赤色光ビーム２１ｂの光量をＰ１ｂ、検出赤色光ビーム２２ｂの光量をＰ２ｂとすると、
Ｐ２ｂ／Ｐ１ｂ＝０．９×（１−Ｒ１Ｒ）×（１−Ｒ１Ｒ）×０．９×（１−Ｒ２Ｒａ）×（１−Ｒ２Ｒａ）×Ｒ２Ｒｂ・・・・（４）
となる。
【００３４】
ＤＶＤ機器で第２および第３の情報担体面３上の情報を読み取るためには、
０．１８≦Ｐ２ａ／Ｐ１ａ≦０．３・・・・・・・・・（５）
０．１８≦Ｐ２ｂ／Ｐ１ｂ≦０．３・・・・・・・・・（６）
を満たす必要がある。しかしながら、本発明では、実施の形態１で説明したように、赤色光ビームに対する第１の情報担体面２の反射率Ｒ１Ｒを１２％以下としているので、上式（５）、（６）の条件は容易に満たすことができる。当然のことながら、青色光ビームに対する第１の情報担体面２の反射率は３％以上としている。
【００３５】
以上のことから、青色光ビームで再生するための第１の情報担体面と、赤色光ビームで再生するための第２および第３の情報担体面を備えた再生専用型光記録媒体において、第１の光透過層の厚みを０．０８ｍｍ〜０．１２ｍｍ、第２の光透過層の厚さを０４３ｍｍ〜０．５３ｍｍとし、赤色光ビームに対する第１の情報担体面の反射率を１２％以下とし、青色光ビームに対する第１の情報担体面２の反射率を３％以上としているので、ＤＶＤ機器で第２および第３の情報担体面を容易に再生することができる。また、第１の情報担体面の反射率を赤色光ビームで再生する情報担体面の数に関係なく同じとしているので、ＢＤとの互換性に極めて優れている。
【００３６】
図６を用いて本発明の実施の形態２を説明したが、本発明はこれに限定されない。例えば、本発明の光記録媒体６１における第１の情報担体面２は図５と同様に構成することができる。
【００３７】
（実施の形態３）
図８は、本発明の実施の形態３におけるＢＤと互換性が高く、かつＣＤ機器で再生可能な再生専用型光記録媒体の概略断面図である。図８において、光記録媒体８１は青色光ビームで再生するための第１の情報担体面２と、赤外光ビームで再生するための第２の情報担体面８１を備えている。４は第１の光等過層、８３は第２の光透過層である。第１の情報担体面２上の情報を読み取る場合、対物レンズ７で収束した青色光ビームを、第１の光透過層４を介して第１の情報担体面２上に収束させ、第１の情報担体面２で反射された反射光を検知して情報を読み取る。また、第２の情報担体面８１上の情報を読み取る場合には、対物レンズ８４で収束した赤外光ビームを、第１の光透過層４、第１の情報担体面２および第２の光透過層８３を介して第２の情報担体面８２上に収束させ、第２の情報担体面８２で反射された反射光を検知して情報を読み取る。
【００３８】
第２の光透過層８３の一方の表面には第２の情報担体面８２用の凹凸ピットが形成され、その上に反射膜が形成されている。また、第２の光透過層８３の他方の表面には第１の情報担体面２用の凹凸ピットが形成され、その上に半透明の反射膜が形成されている。第１の光透過層４と第２の光透過層８３は透明な接着材で接着されている。接着材として、例えば、紫外線を照射することにより硬化する紫外線硬化材料、熱を与えることにより硬化する熱硬化型接着剤、あるいは力を付与することにより硬化する加圧硬化型接着剤などを用いることができる。第１の情報担体面２用の半透明の反射膜としては、金（Ａｕ）、アルミニウム（Ａｌ）、Ａｇ、あるいはＳｉ等の材料、またはこれらの材料を含んだ材料が好適である。また、第２の情報担体面８２用の反射膜としては金（Ａｕ）、アルミニウム（Ａｌ）、Ａｇ等の材料、またはこれらを含んだ材料が好適である。
【００３９】
光記録媒体８１がＣＤ機器で再生できるようにするためには、反射率および光透過層の厚さ等が重要である。
【００４０】
第１の光透過層４の厚さｔ１は０．０８ｍｍ≦ｔ１≦０．１２ｍｍである。ＣＤ機器で再生できるようにするために光記録媒体８１の厚さｔ３は１．１ｍｍ≦ｔ３≦１．４ｍｍであり、したがって第２の光透過層８３の厚さは０．９８ｍｍ以上、０．１１２ｍｍ以下となる。
【００４１】
次に反射率について説明する。入射赤外光ビームは第１の情報担体面２で一部の光ビームが反射された後に第２の情報担体面８２で反射される。第２の情報担体面８２で反射された反射光ビームは第１の情報担体面２で再び一部の光ビームが反射される。また、第１の情報担体面２を赤外光ビームが透過するときに、光吸収あるいは乱反射などで５％程度のロス、すなわち往復で１０％程度のロスが発生する。したがって、赤外光に対する第１の情報担体面２の反射率をＲ１Ｕ、第２の情報担体面８２の反射率をＲ２Ｕとすると、
Ｐ２ｕ／Ｐ１ｕ＝０．９×（１−Ｒ１ｕ）×（１−Ｒ１ｕ）×Ｒ２ｕ・・・・・（５）
となる。ＣＤ機器で第２の情報担体面８２の情報を読み取るには、入射赤外光ビームの光量をＰ１ｕ、検出赤外光ビームの光量をＰ２ｕとすると、Ｐ２ｕ／Ｐ１ｕ≧０．５とすることが望ましい。すなわち、第１の情報担体面２の反射率Ｒ１ｕの上限を、
０．９×（１−Ｒ１ｕ）×（１−Ｒ１ｕ）≧０．５５／Ｒ２ｕ
∴Ｒ１ｕ≦１−（０．５／Ｒ２ｕ／０．９）１／２・・・・・・・・・・（６）
としている。
【００４２】
アルミニウムなどで反射膜を形成する場合、反射膜の厚さを厚くすればする程、反射率は高くなるが、第２の情報担体面８２の反射率Ｒ２ｕは０．９程度が限界である。この場合、Ｒ１ｕ≦０．２１、すなわち第１の情報担体面２の反射率Ｒ１ｕは２１％以下となる。また、コスト、信号品質などを考慮すると、反射率Ｒ２ｕは０．６５≦Ｒ２ｕ≦０．９とすることが望ましい。Ｒ２ｕが０．６５の場合、Ｒ１ｕは約０．０８となる。すなわち、第１の情報担体面２の反射率Ｒ１ｕを８％以下とすれば、赤外光ビームで再生する際に良好な再生信号が得られ、かつ光記録媒体８１を安価にすることができる。当然のことながら、青色光ビームに対する第１の情報担体面２の反射率は３％以上としている。
【００４３】
以上のことから、青色光ビームで再生するための第１の情報担体面と、赤外光ビームで再生するための第２の情報担体面を備えた再生専用型光記録媒体において、第１の光透過層の厚みを０．０８ｍｍ〜０．１２ｍｍ、第２の光透過層の厚さを０．９８ｍｍから０．１１２ｍｍとし、赤外光ビームに対する第１の情報担体面の反射率を８％以下とし、青色光ビームに対する第１の情報担体面の反射率を３％以上としているので、ＣＤ機器で第２の情報担体面上の情報を容易に再生することができ、かつＢＤとの互換性が容易となる。
【００４４】
図８を用いて本発明の実施の形態３を説明したが、本発明はこれに限定されない。例えば、本発明の光記録媒体８１における第１の情報担体面２は図５と同様に構成することができる。
【００４５】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【００４６】
本発明にかかる再生専用型光記録媒体は、青色光ビームで読み取るための情報面とＤＶＤ機器あるいはＣＤ機器で再生するための情報面とを有し、高精細度な動画を楽しめ、かつ一般に普及しているＤＶＤ機器あるいはＣＤ機器でも楽しめるため、極めて有用である。また、ＣＤ機器で再生するための情報面には音楽を蓄積し、青色光ビームで読み取りための情報面には高精細度な動画を蓄積する等の用途にも応用できる。
【図面の簡単な説明】
【００４７】
【図１ａ】本発明の実施の形態１における再生専用型光記録媒体の概略断面図
【図１ｂ】本発明の実施の形態１における再生専用型光記録媒体の概略断面図
【図１ｃ】本発明の実施の形態１における再生専用型光記録媒体の概略断面図
【図２】本発明の実施の形態１における情報担体面の反射率を説明するための概略図
【図３ａ】本発明の実施の形態１における青色光ビーム用情報面を再生したときのノイズの周波数分布図および反射率とジッタの関係図
【図３ｂ】本発明の実施の形態１における青色光ビーム用情報面を再生したときのノイズの周波数分布図および反射率とジッタの関係図
【図４】本発明の実施の形態１における第２の情報担体面の他の構成例を説明するための部分拡大図
【図５】本発明の実施の形態１における第１の情報担体面の他の構成例を説明するための部分拡大図
【図６ａ】本発明の実施の形態２における再生専用型光記録媒体の概略断面図
【図６ｂ】本発明の実施の形態２における再生専用型光記録媒体の概略断面図
【図７】本発明の実施の形態２における情報担体面の反射率を説明するための概略図
【図８】本発明の実施の形態３における再生専用型光記録媒体の概略断面図
【符号の説明】
【００４８】
１  光記録媒体
２  第１の情報担体面
３  第２の情報担体面
４  第１の光等過層
５  第２の光透過層
６  基板
７  対物レンズ
８  対物レンズ８
１１  凹凸ピット
１２  反射膜
１３  接着層
１４  基板
１５  凹凸ピット
１６  半透明の反射膜
【図１ａ】
2006190415.tif 000003
【図１ｂ】
2006190415.tif 000004
【図１ｃ】
2006190415.tif 000005
【図２】
2006190415.tif 000006
【図３ａ】
2006190415.tif 000007
【図３ｂ】
2006190415.tif 000008
【図４】
2006190415.tif 000009
【図５】
2006190415.tif 000010
【図６ａ】
2006190415.tif 000011
【図６ｂ】
2006190415.tif 000012
【図７】
2006190415.tif 000013
【図８】
2006190415.tif 000014